(57)【要約】  包装体（１００）は、被包装体（２００）の底面側を保護する底面段ボール（３）と、底面段ボール（３）の凹内部に嵌め込まれる底面用緩衝材（４）と、を備えている。底面段ボール（３）には、一方の対向する各縁辺の中央部分から内側面（３０）に沿って折り返された折り返し部（６０）と、折り返し部（６０）の先端縁から折り曲げられ、内底面（３２）に当接させた屈曲部（６１）と、を有する緩衝材保持部（６）が設けられている。屈曲部（６１）には、左右の両端部に張り出し部（７）が設けられている。張り出し部（７）には、開口面に向かって切り起こした立ち上がり部（７０）と、底面段ボール（３）の内底面（３２）に当接させた平坦部（７１）と、が設けられている。底面用緩衝材（４）は、底面段ボール（３）の内側面（３０）と立ち上がり部（７０）とで形成された空間に嵌め込まれ、一部が平坦部（７１）の上面に載置されている。
2019193694.tif 000002
【特許請求の範囲】
【請求項１】
被包装体を包装するための包装体であって、  前記被包装体の底面側を保護する矩形状で箱型の底面段ボールと、  前記底面段ボールの凹内部に嵌め込まれる底面用緩衝材と、を備え、  前記底面段ボールには、一方の対向する各縁辺の中央部分から内側面に沿って折り返された折り返し部と、前記折り返し部の先端縁から折り曲げられ、内底面に当接させた屈曲部と、を有する緩衝材保持部が設けられており、  前記屈曲部には、左右の両端部から張り出した張り出し部が設けられ、  前記張り出し部には、開口面に向かって切り起こした立ち上がり部と、前記底面段ボールの内底面に当接させた平坦部と、が設けられ、  前記底面用緩衝材は、前記底面段ボールの内側面と前記立ち上がり部とで形成された空間に嵌め込まれ、一部が前記平坦部の上面に載置されている、包装体。
【請求項２】
被包装体を包装するための包装体であって、  前記被包装体の底面側を保護する矩形状で箱型の底面段ボールと、  前記底面段ボールの凹内部に嵌め込まれる底面用緩衝材と、を備え、  前記底面段ボールには、一方の対向する各縁辺の中央部分から内側面に沿って折り返された折り返し部と、前記折り返し部の先端縁から折り曲げられ、内底面に当接させた屈曲部と、を有する緩衝材保持部が設けられており、  前記折り返し部には、左右の両端部から凹内部に向かって切り起こした立ち上がり部が設けられ、  前記屈曲部には、左右の両端部から張り出し、前記底面段ボールの内底面に当接させた平坦部が設けられ、  前記底面用緩衝材は、前記底面段ボールの内側面と前記立ち上がり部とで形成された空間に嵌め込まれ、一部が前記平坦部の上面に載置されている、包装体。
【請求項３】
前記被包装体の天面側を保護する矩形状で箱型の天面段ボールと、  前記天面段ボールの凹内部に嵌め込まれる天面用緩衝材と、  前記天面段ボールと前記底面段ボールとで保護された前記被包装体の周囲を結束する結束部材と、を更に備えている、請求項１又は２に記載の包装体。
【請求項４】
前記底面用緩衝材の底面には、前記平坦部を収める切り欠き溝部が形成されている、請求項１〜３のいずれか一項に記載の包装体。
【発明の詳細な説明】
【技術分野】
【０００１】  本発明は、被包装体を包装するために使用する包装体に関するものである。
【背景技術】
【０００２】  従来、家電製品等の被包装体を包装するために使用する包装体が知られている。例えば特許文献１では、被包装体の底面側を保護する箱状の底枠材と、底枠材の凹内部の両端部に嵌め込まれた一対の緩衝材と、で構成されている。底枠材には、長辺側の各縁辺の中央部分から内側面に沿って折り返された補強部片と、補強部片の先端縁から内側面側に向かって折り返され、底枠材の内底面に当接する端板部と、で角筒状補強部が形成されている。一対の緩衝材は、底枠材の中間部に間隔を設けて配置されている。また、緩衝材には、底枠材の内側面に沿って突き出す係合突部が設けられている。底枠材の係合突部は、角筒状補強部に巻き付けられて固定されている。
【先行技術文献】
【特許文献】
【０００３】
【特許文献１】実開平６−４２７３６号公報
【発明の概要】
【発明が解決しようとする課題】
【０００４】  特許文献１に開示された包装体では、角筒状補強部が複数回折り曲げられて形成されているので、折り曲げた部分の復元力によって端板部が浮き上がり、形状を維持できないおそれがある。その結果、緩衝材が位置ずれを起こし、被包装体をしっかりと保持できなくなるおそれがある。そのため、折り曲げた部分を接着剤等で固定し、浮き上がりが生じないように工夫する必要があり、組み立て作業と解体作業に手間が掛かる。【０００５】  本発明は、上記のような課題を解決するためになされたもので、接着剤等を使用することなく、折り返した部分の復元力による底面用緩衝材の浮き上がりを抑制することができ、底面用緩衝材をしっかりと固定して、被包装体を安定させて保持することができる、包装体を提供すること目的とする。
【課題を解決するための手段】
【０００６】  本発明に係る包装体は、被包装体を包装するための包装体であって、前記被包装体の底面側を保護する矩形状で箱型の底面段ボールと、前記底面段ボールの凹内部に嵌め込まれる底面用緩衝材と、を備え、前記底面段ボールには、一方の対向する各縁辺の中央部分から内側面に沿って折り返された折り返し部と、前記折り返し部の先端縁から折り曲げられ、内底面に当接させた屈曲部と、を有する緩衝材保持部が設けられており、前記屈曲部には、左右の両端部から張り出した張り出し部が設けられ、前記張り出し部には、開口面に向かって切り起こした立ち上がり部と、前記底面段ボールの内底面に当接させた平坦部と、が設けられ、前記底面用緩衝材は、前記底面段ボールの内側面と前記立ち上がり部とで形成された空間に嵌め込まれ、一部が前記平坦部の上面に載置されているものである。
【発明の効果】
【０００７】  本発明によれば、底面段ボールの内底面と底面用緩衝材とで緩衝材保持部の平坦部を挟み付けてしっかりと固定しているので、接着剤等を使用して固定することなく、折り曲げ部分の復元力による緩衝材保持部の浮き上がりを抑制することができる。また、底面段ボールの内側面と立ち上がり部とで形成された空間に嵌め込まれた底面用緩衝材が、立ち上がり部の復元力によるスプリングバックにより内側面に向かって押し付けられ、しっかりと固定されているので、被包装体を安定させて保持することができる。
【図面の簡単な説明】
【０００８】
【図１】本発明の実施の形態１に係る包装体の斜視図である。
【図２】本発明の実施の形態１に係る包装体の分解斜視図である。
【図３】本発明の実施の形態１に係る包装体の底面段ボールの斜視図である。
【図４】本発明の実施の形態１に係る包装体の底面段ボールの展開図である。
【図５】本発明の実施の形態１に係る包装体の底面用緩衝材を底面側から見た斜視図である。
【図６】本発明の実施の形態１に係る包装体の底面段ボールに底面用緩衝材を嵌め込む要領を示した説明図である。
【図７】本発明の実施の形態１に係る包装体の底面段ボールに底面用緩衝材を嵌め込んだ状態を示した斜視図である。
【図８】本発明の実施の形態２に係る包装体の底面段ボールの斜視図である。
【図９】本発明の実施の形態２に係る包装体の底面段ボールの展開図である。
【発明を実施するための形態】
【０００９】  以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１０】実施の形態１．  先ず、図１及び図２に基づいて、実施の形態１に係る包装体１００の全体構造について説明する。図１は、本発明の実施の形態１に係る包装体の斜視図である。図２は、本発明の実施の形態１に係る包装体の分解斜視図である。図１及び図２に示すように、実施の形態１に係る包装体１００は、被包装体２００を包装するために使用されるものである。被包装体２００は、一例として空気調和機の室外機である。室外機は、外郭を形成するケーシング２０１を有している。ケーシング２０１の底面には、設置場所に固定するための脚部２０２が間隔をあけて２つ設けられている。ケーシング２０１の前面側には、吹出口を覆うファンガード２０３が取り付けられている。
【００１１】  実施の形態１に係る包装体１００は、被包装体２００の天面側を保護する矩形状で箱型の天面段ボール１と、天面段ボール１の凹内部に嵌め込まれる天面用緩衝材２と、被包装体２００の底面側を保護する矩形状で箱型の底面段ボール３と、底面段ボール３の凹内部に嵌め込まれる底面用緩衝材４と、を備えている。
【００１２】  天面段ボール１は、略直方体であり、被包装体２００と対向する下面に開口部を有している。天面段ボール１は、凹内部に嵌め込まれた天面用緩衝材２を介して、被包装体２００の天面側を保護している。
【００１３】  天面用緩衝材２は、一例として発泡スチロールである。図示した天面用緩衝材２は、ケーシング２０１の左右の天面角部をそれぞれ保護するように、一対の緩衝片２Ａ及び２Ｂで構成されている。緩衝片２Ａ及び２Ｂは、ケーシング２０１の左右の天面角部に収まる形状及び大きさで形成されている。なお、天面用緩衝材２は、ケーシング２０１の天面全体を覆うように１つで構成してもよいし、他の形態でもよい。
【００１４】  底面段ボール３は、略直方体であり、被包装体２００と対向する上面に開口部を有している。底面段ボール３は、凹内部に嵌め込まれた底面用緩衝材４を介して、被包装体２００の底面側を保護している。
【００１５】  底面用緩衝材４は、一例として発泡スチロールである。図示した底面用緩衝材４は、ケーシング２０１の左右の底面角部をそれぞれ保護するように、一対の緩衝片４Ａ及び４Ｂで構成されている。緩衝片４Ａ及び４Ｂは、ケーシング２０１の底面角部に収まる形状及び大きさで形成されている。
【００１６】  図１及び図２に示すように、被包装体２００は、天面用緩衝材２が内部に嵌め込まれた天面段ボール１と、底面用緩衝材４が内部に嵌め込まれた底面段ボール３とで保護され、周囲が結束部材５によって結束されている。結束部材５は、例えば紐又は合成樹脂材から成る結束バンドである。図示例の場合では、被包装体２００の長辺方向Ｘに沿って間隔をあけて３つ設けられている。なお、結束部材５は、天面用緩衝材２と底面用緩衝材４とで保護された被包装体２００を結束することができれば、他の部材でもよい。
【００１７】  次に、図３〜図５に基づいて、底面段ボール３と底面用緩衝材４の構成を具体的に説明する。図３は、本発明の実施の形態１に係る包装体の底面段ボールの斜視図である。図４は、本発明の実施の形態１に係る包装体の底面段ボールの展開図である。図５は、本発明の実施の形態１に係る包装体の底面用緩衝材を底面側から見た斜視図である。
【００１８】  図３に示すように、底面段ボール３は、長辺側の内側面３０と短辺側の内側面３１とが、長辺側の両端部に設けられた接合片３０ａを介して接合されて、箱型に組み立てられている。図４に示すように、底面段ボール３は、長方形状の内底面３２を中心して、その四辺に内側面３０及び３１を構成する側面部が、折り目を介して連設された構成である。
【００１９】  そして、底面段ボール３には、長辺側の各縁辺の中央部分から内側面３０に沿って折り返された折り返し部６０と、折り返し部６０の先端縁から折り曲げられ、内底面３２に当接させた屈曲部６１と、を有する緩衝材保持部６が設けられている。
【００２０】  折り返し部６０は、底面段ボール３の長辺側の両端部から緩衝片４Ａ及び４Ｂの幅寸法と同等の間隔をあけて設けられている。折り返し部６０は、先端縁が内底面３２に突き当たるように折り返されている。折り返し部６０は、底面段ボール３の内側面３０に当接していることが望ましいが、必ずしも当接している必要はない。
【００２１】  屈曲部６１は、内底面３２に突き当てた折り返し部６０の先端縁から内底面３２へ沿って、短辺方向Ｙの中間位置の手前まで形成されている。屈曲部６１の下面は、底面段ボール３の内底面３２に当接している。屈曲部６１には、左右の両端部から張り出した張り出し部７が設けられている。張り出し部７には、折り返し部６０に隣接する部分を、開口面に向かって切り起こした立ち上がり部７０と、底面段ボール３の内底面３２に当接する平坦部７１と、が設けられている。
【００２２】  底面用緩衝材４は、図２に示すように、緩衝片４Ａ及び４Ｂで構成されている。緩衝片４Ａ及び４Ｂは、それぞれ略四角形であり、平板状に形成されている。緩衝片４Ａ及び４Ｂの上面には、被包装体２００の脚部２０２を収める凹部４０が形成されている。一方、図５に示すように、緩衝片４Ａ及び４Ｂの下面には、緩衝片４Ａ及び４Ｂの下面を底面段ボール３の内底面３２に当接させた際に、平坦部７１を収める切り欠き溝部４１が形成されている。また、緩衝片４Ａ及び４Ｂの一の側面には、底面段ボール３に設けられた接合片３０ａとの干渉を避けるための切り欠き凹部４２が形成されている。
【００２３】  次に、図６及び図７に示すように、本発明の実施の形態１に係る包装体の底面段ボールに底面用緩衝材を嵌め込む要領について説明する。図６は、本発明の実施の形態１に係る包装体の底面段ボールに底面用緩衝材を嵌め込む要領を示した説明図である。図７は、本発明の実施の形態１に係る包装体の底面段ボールに底面用緩衝材を嵌め込んだ状態を示した斜視図である。
【００２４】  実施の形態１における底面段ボール３の凹内部には、図６及び図７に示すように、底面用緩衝材４を構成する緩衝片４Ａ及び４Ｂがそれぞれ嵌め込まれる。緩衝片４Ａは、底面段ボール３の内側面３０及び３１と立ち上がり部７０とで形成された一方の空間に嵌め込まれ、一部が平坦部７１の上面に載置される。具体的には、図６に示すように、切り欠き凹部４２を形成した側面を、底面段ボール３の短辺側の内側面３１に当接させる。そして、その側面に対向する他方の側面の両端を、立ち上がり部７０に当接させる。その他の側面は、長辺側の内側面３０に当接させる。同様に、緩衝片４Ｂは、底面段ボール３の内側面３０及び３１と立ち上がり部７０とで形成された他方の空間に嵌め込まれ、一部が平坦部７１の上面に載置される。緩衝片４Ａ及び４Ｂは、段ボールの罫線により折り曲げられた立ち上がり部７０が、真っ直ぐに戻ろうとする復元力によるスプリングバックによって押し付けられ、しっかりと固定される。
【００２５】  以上のように、実施の形態１に係る包装体１００は、被包装体２００の底面側を保護する矩形状で箱型の底面段ボール３と、底面段ボール３の凹内部に嵌め込まれる底面用緩衝材４と、を備えている。底面段ボール３には、一方の対向する各縁辺の中央部分から内側面３０に沿って折り返された折り返し部６０と、折り返し部６０の先端縁から折り曲げられ、内底面３２に当接させた屈曲部６１と、を有する緩衝材保持部６が設けられている。屈曲部６１には、左右の両端部から張り出した張り出し部７が設けられている。張り出し部７は、開口面に向かって切り起こした立ち上がり部７０と、底面段ボール３の内底面３２に当接させた平坦部７１と、が設けられている。そして、底面用緩衝材４は、底面段ボール３の内側面３０及び３１と立ち上がり部７０とで形成された空間に嵌め込まれ、一部が平坦部７１の上面に載置されている。
【００２６】  したがって、実施の形態１に係る包装体１００は、底面段ボール３の内底面３２と底面用緩衝材４とで緩衝材保持部６の平坦部７１を挟み付けてしっかりと固定しているので、接着剤等を使用して固定することなく、折り曲げ部分の復元力による緩衝材保持部６の浮き上がりを抑制することができる。また、包装体１００は、底面段ボール３の内側面３０及び３１と立ち上がり部７０とで形成された空間に嵌め込まれた底面用緩衝材４が、立ち上がり部７０の復元力によるスプリングバックにより、内側面３０及び３１に向かって押し付けられてしっかりと固定されているので、被包装体２００を安定させて保持することができる。また、包装体１００では、接着剤等が不要となることで、底面段ボール３の組立作業時における手間が省けるし、使用後の解体作業時に、底面段ボール３から底面用緩衝材４を分離して容易に解体することができるので、再生利用することもできる。
【００２７】  また、実施の形態１に係る包装体１００は、被包装体２００の天面側を保護する矩形状で箱型の天面段ボール１と、天面段ボール１の凹内部に嵌め込まれる天面用緩衝材２と、天面段ボール１と底面段ボール３とで保護された被包装体２００の周囲を結束する結束部材５と、を更に備えている。よって、包装体１００は、上記した底面段ボール３及び底面用緩衝材４と共に、天面段ボール１及び天面用緩衝材２で被包装体２００の天面と底面とをしっかりと保護することができ、信頼性の高い包装体を実現できる。
【００２８】  また、包装体１００は、底面用緩衝材４の底面に、平坦部７１が収まる切り欠き溝部４１が形成されているので、底面用緩衝材４の一部と平坦部７１とが重なり合うことによる収まりの不具合を防止することができる。また、包装体１００は、底面用緩衝材４の切り欠き溝部４１と平坦部７１とを嵌め合わせることで、該平坦部７１を確実に固定することができるので、折り曲げ部分の復元力による緩衝材保持部６の浮き上がりを効果的に抑制することができる。
【００２９】実施の形態２．  次に、図８及び図９に基づいて、本発明の実施の形態２に係る包装体を説明する。図８は、本発明の実施の形態２に係る包装体の底面段ボールの斜視図である。図９は、本発明の実施の形態２に係る包装体の底面段ボールの展開図である。なお、実施の形態１で説明した包装体と同一の構成については、同一の符号を付して、その説明を適宜省略する。
【００３０】  実施の形態２に係る包装体は、底面段ボール３の構成を除いて、上記した実施の形態１の包装体１００と同一の構成である。
【００３１】  図８に示すように、実施の形態２における底面段ボール３は、長辺側の内側面３０と短辺側の内側面３１とが、長辺側の両端部に設けられた接合片３０ａを介して接合されて、箱型に組み立てられている。図９に示すように、底面段ボール３は、長方形状の内底面３２を中心して、その四辺に内側面３０及び３１を構成する側面部が、折り目を介して連設された構成である。
【００３２】  そして、底面段ボール３には、長辺側の各縁辺の中央部分から内側面３０に沿って折り返された折り返し部６０と、折り返し部６０の先端縁から折り曲げられ、内底面３２に当接させた屈曲部６１と、を有する緩衝材保持部６が設けられている。
【００３３】  折り返し部６０は、底面段ボール３の長辺側の両端部から緩衝片４Ａ及び４Ｂの幅寸法と同等の間隔をあけて設けられている。折り返し部６０は、先端縁が内底面３２に突き当たるように折り返されている。折り返し部６０は、底面段ボール３の内側面３０に当接していることが望ましいが、必ずしも当接している必要はない。また、折り返し部６０には、左右の両端部から凹内部に向かって切り起こした立ち上がり部８が設けられている。
【００３４】  屈曲部６１は、内底面３２に突き当てた折り返し部６０の先端縁から内底面３２へ沿って、短辺方向Ｙの中間位置の手前まで形成されている。屈曲部６１の下面は、底面段ボール３の内底面３２に当接している。屈曲部６１には、左右の両端部から張り出し、底面段ボール３の内底面３２に当接させた平坦部９が設けられている。
【００３５】  実施の形態２における底面段ボール３の凹内部には、底面用緩衝材４を構成する緩衝片４Ａ及び４Ｂがそれぞれ嵌め込まれる。緩衝片４Ａは、底面段ボール３の内側面３０及び３１と立ち上がり部７０とで形成された一方の空間に嵌め込まれ、一部が平坦部９の上面に載置される。具体的には、切り欠き凹部４２を形成した側面を、底面段ボール３の短辺側の内側面３１に当接させている。そして、その側面に対向する他方の側面の両端を、立ち上がり部８に当接させている。その他の側面は、長辺側の内側面３０に当接させている。同様に、緩衝片４Ｂは、底面段ボール３の内側面３０及び３１と立ち上がり部８とで形成された他方の空間に嵌め込まれ、一部が平坦部９の上面に載置される。緩衝片４Ａ及び４Ｂは、段ボールの罫線により折り曲げられた立ち上がり部８が、真っ直ぐに戻ろうとする復元力によるスプリングバックによって押し付けられ、しっかりと固定される。
【００３６】  以上に本発明を実施の形態に基づいて説明したが、本発明は上述した実施の形態の構成に限定されるものではない。例えば、被包装体２００は、図示した空気調和機の室外機に限定されず、空気調和機の室内機など、他のものでもよい。また、天面段ボール１及び天面用緩衝材２は、上記した底面段ボール３及び底面用緩衝材４と同一の構成でもよい。また、天面段ボール１及び天面用緩衝材２は、上記した構成に限定されず、例えば底面部分を除く全面を覆う構成でもよい。また、底面用緩衝材４に形成した切り欠き凹部４２は、必ずしも設ける必要はない。更に、実施の形態１で説明した立ち上がり部７０と平坦部７１の位置は、逆でもよい。要するに、本発明は、その技術的思想を逸脱しない範囲において、当業者が通常に行う設計変更及び応用のバリエーションの範囲を含むものである。
【符号の説明】
【００３７】  １  天面段ボール、２  天面用緩衝材、２Ａ、２Ｂ  緩衝片、３  底面段ボール、４  底面用緩衝材、４Ａ、４Ｂ  緩衝片、５  結束部材、６  緩衝材保持部、７  張り出し部、８  立ち上がり部、９  平坦部、３０  内側面、３０ａ  接合片、３１  内側面、３２  内底面、４０  凹部、４１  切り欠き溝部、４２  切り欠き凹部、６０  折り返し部、６１  屈曲部、７０  立ち上がり部、７１  平坦部、１００  包装体、２００  被包装体、２０１  ケーシング、２０２  脚部、２０３  ファンガード。
【図１】
2019193694.tif 000003
【図２】
2019193694.tif 000004
【図３】
2019193694.tif 000005
【図４】
2019193694.tif 000006
【図５】
2019193694.tif 000007
【図６】
2019193694.tif 000008
【図７】
2019193694.tif 000009
【図８】
2019193694.tif 000010
【図９】
2019193694.tif 000011
【国際調査報告】
2019193694.tif 000012
2019193694.tif 000013
2019193694.tif 000014
2019193694.tif 000015